(57)【要約】【課題】本考案は、車道又は歩道に対し設置スペースを必要とせず、縁石等の境界ブロックに確実に取付可能な標示具を提供する。【解決手段】縁石等の境界ブロック２に対し上方から嵌合可能な取付基部３と、該取付基部３の上部に設けられた標示部４とを備えた標示具１であって、前記取付基部３には、前記境界ブロック２の上面20に対応した上面部６と、前記境界ブロック２の両側面21,22に対応した一対の側面部７,８とを備えるとともに、前記側面部７,８と前記境界ブロックの両側面21,22との間にそれぞれ弾性部材11,12を配置し、該弾性部材11,12の少なくとも一方を、前記側面部８と前記境界ブロック２の前記側面22との間で水平方向に移動可能にする水平方向移動手段18を備えたことにより、標示具１を車道又は歩道に対し設置スペースを必要とせず、縁石等の境界ブロック２に確実に取付けすることができる。【選択図】図１
0003125385.tif 000002
【実用新案登録請求の範囲】
【請求項１】
縁石等の境界ブロックに対し上方から嵌合可能な取付基部と、
該取付基部の上部に設けられた標示部とを備えた標示具であって、
前記取付基部には、前記境界ブロックの上面に対応した上面部と、
前記境界ブロックの両側面に対応した一対の側面部とを備えるとともに、
前記側面部と前記境界ブロックの側面との間にそれぞれ弾性部材を配置し、
該弾性部材の少なくとも一方に、前記側面部と前記境界ブロックの前記側面との間で水平方向に移動可能にする水平方向移動手段を備えたことを特徴とする標示具。
【請求項２】
前記水平方向移動手段は、前記弾性部材に基端が接続され水平方向に平行に配置された軸部材と、
前記軸部材を水平方向にスライド自在にするスライド固定操作部とを備えたことを特徴とする請求項１記載の標示具。
【請求項３】
前記スライド固定操作部は、前記側面部に設けられた雌螺子部であることを特徴とする請求項２記載の標示具。
【請求項４】
前記標示部は標示部本体を備え、この標示部本体を中空柱状のポールとしたことを特徴とする請求項１〜３のいずれか１項に記載の標示具。
【請求項５】
前記標示部本体に点滅灯を設けたことを特徴とする請求項４記載の標示具。
【請求項６】
前記境界ブロックにおける上面の長手方向に対し並設された前記標示具を連結する固定手段を設けたことを特徴とする請求項１〜５のいずれか１項に記載の標示具。
【考案の詳細な説明】
【技術分野】
【０００１】
本考案は、縁石等の境界ブロックに設置して用いられる標示具に関する。
【背景技術】
【０００２】
従来、車道又は歩道を移動してくる車又は歩行者等に対し視覚的に徐行等の注意を促すものとして使用されるカラーコーンやバリケード等の標示具は、縁石等の境界ブロックの横に設置して使用している為、車道又は歩道に対しその設置スペースを必要とする他、車道又は歩道に設置されたカラーコーンやバリケードが車道又は歩道を移動してくる車又は歩行者等に接触したり、また、いたずらにより移動や転倒させられる恐れがあった。
【０００３】
そこで、車道又は歩道に対して設置スペースを必要としない標示具として、反射体を有する反射具と、この反射具を備えた取付具とよりなり、この取付具が、両側部に互に向き合った保持片を有すると共に、縁石などの取付け対象物に対して、この取付け対象物を、前記保持片間に挾みつけるようにして取付けられることを特徴とする標示具がある（特許文献１）。
【特許文献１】特開平１０−１７６３１３号公報
【考案の開示】
【考案が解決しようとする課題】
【０００４】
しかし、特許文件１における標示具の保持片の構造では、反射具に支柱立てる等して使用し、標示具全体の重心位置を高くした場合に、保持片による挟み付けによる取付けでは、標示具が揺動してしまう等の虞があり、縁石等の取付け対象物に対する保持が不安定になる課題を有していた。
【０００５】
そこで解決しようとする問題点は、前記の課題を克服する車道又は歩道に対し設置スペースを必要とせず、縁石等の境界ブロックに確実に取付可能な標示具を提供することである。
【課題を解決するための手段】
【０００６】
請求項１の考案は、縁石等の境界ブロックに対し上方から嵌合可能な取付基部と、該取付基部の上部に設けられた標示部とを備えた標示具であって、前記取付基部には、前記境界ブロックの上面に対応した上面部と、前記境界ブロックの両側面に対応した一対の側面部とを備えるとともに、前記側面部と前記境界ブロックの側面との間にそれぞれ弾性部材を配置し、該弾性部材の少なくとも一方に、前記側面部と前記境界ブロックの前記側面との間で水平方向に移動可能にする水平方向移動手段を備えたことである。
【０００７】
請求項２の考案は、前記水平方向移動手段は、前記弾性部材に基端が接続され水平方向に平行に配置された軸部材と、
前記軸部材を水平方向にスライド自在にするスライド固定操作部とを備えたことである。
【０００８】
請求項３の考案は、前記スライド固定操作部は、前記側面部に設けられた雌螺子部とすることである。
【０００９】
請求項４の考案は、前記標示部は標示部本体を備え、この標示部本体を中空柱状のポールとしたことである。
【００１０】
請求項５の考案は、前記標示部本体に点滅灯を設けたことである。
【００１１】
請求項６の考案は、前記境界ブロックにおける上面の長手方向に対し並設された前記標示具を連結する固定手段を設けたことである。
【考案の効果】
【００１２】
請求項１の考案によれば、標示具が取付基部を介して境界ブロックに上方から取り付けられることで、車道又は歩道に対し設置スペースを必要とせず、縁石等の境界ブロックに確実に取付けすることができる。また、前記側面部と前記境界ブロックの側面との間にそれぞれ弾性部材を配置したことで、標示具を境界ブロックに確実に取付けできるとともに、標示具により境界ブロックが傷付くことが防止される。さらに、弾性部材を水平方向に移動させる水平方向移動手段を備えたことで、異なる幅寸法に形成された異なる種類の境界ブロックに対し、標示具を的確に取付けることが可能となる。
【００１３】
請求項２の考案によれば、標示具を境界ブロックに対し簡単な機構で確実に取付けることができる。
【００１４】
請求項３の考案によれば、周知の材料を用いることで、製造のコストを削減することができる。
【００１５】
請求項４の考案によれば、標示部本体に高さを備えたポールを用いたことで、標示具の視認性を向上させるとともに、ポールが中空柱状であることにより、標示具全体の軽量化を図ることができる。
【００１６】
請求項５の考案によれば、標示具の視認性をさらに向上させることができる。
【００１７】
請求項６の考案によれば、複数の標示具が並設されそれぞれを一体に連結して境界ブロックに配置したことにより、標示具の視認性をさらに向上させることができるとともに、この複数の標示具を一体に連結している固定手段も標示部の一部として使用することができ、様々な標示方法を用いて車又は歩行者に注意を促すことが可能となる。
【考案を実施するための最良の形態】
【００１８】
本考案における好適な実施の形態について、添付図面を参照して説明する。尚、以下に説明する実施の形態は、実用新案登録請求の範囲に記載された本考案の内容を限定するものではない。また、以下に説明される構成の全てが、本考案の必須要件であるとは限らない。
【実施例１】
【００１９】
図１乃至図４は、本考案における実施例１を示しており、標示具１は、縁石等の境界ブロック２に対し上方から嵌合させて取付可能な取付基部３と、取付基部３の上部に設けられた標示部４とからなる。以下、前述の構成について詳細に説明する。
【００２０】
前記取付基部３は、標示部４における標示部本体５の基端が接続された金属製又は合成樹脂製の薄板からなる上面板６（上面部に対応）と、上面板６の両側端にそれぞれ上端が連結された金属製又は合成樹脂製の薄板からなる一対の第１及び第２の側板７,８（側面部に対応）から構成される。
【００２１】
また、第１及び第２の側板７,８の互いに向い合った側の面９,10（以後、内向面という）には、それぞれ第１及び第２の弾性部材11,12が設けられている。この第１及び第２の弾性部材11,12にはともに、薄板状のゴム材が用いられる。
【００２２】
さらに、第１及び第２の弾性部材11,12について詳細に述べると、第１の側板７の内向面９には、ほぼ全体に第１の弾性部材11が設けられるとともに、第２の側板８の内向面10には、内向面10の面積より小さく形成された第２の弾性部材12が設けられており、その第２の弾性部材12の内向面10側に一体に設けられた固定部材12aには、その基端を固定部材12aに接続されるとともに、その先端が第２の側板８に形成された貫通部13に連通され、水平方向に略平行に配置された軸部材14が一体に設けられている。軸部材14の表面には螺子溝15が形成されている。
【００２３】
また、この第２の弾性部材12と第２の側板８とは、第２の側板８の外向面16（内向面10とは反対側の面）からスライド固定操作部として雌螺子部17を軸部材14に螺着することにより略水平方向にスライド自在な関係に固定されている。本実施例では、雌螺子部17に周知のナットを用いている。
【００２４】
このように、第２の弾性部材12は、軸部材14と雌螺子部17とを備えた水平方向移動手段18により、第２の側板８に対して略水平方向に移動可能に接続されている。また、この雌螺子部に限らず同様の作用のもの（つまりは、軸部材14の螺子溝15に対し螺合可能で、軸部材14上を移動可能なもの）であれば、これに限定されるものではない。
【００２５】
また、取付基部３の上面板６に基端が接続された標示部４は、その標示部本体５を高さＴに形成された中空柱状のポールとする。ここで、標示部本体５の高さＴは、図１又は３に図示されるように、境界ブロック２の正面側から見た幅Ｍより大きくしたものである。また、ポールの材質については、金属製又は合成樹脂製に限らず強度及び耐性を備えたものであれば特にこれについては限定しないものとする。同様に、本実施例では、標示部本体５に中空柱状のポールを用いたが、中実柱状のポールであっても構わないものとする。
【００２６】
さらに、図３乃至図４に示すように、標示部４の変形例として、標示部本体５の上部に、周知の点滅灯19を設けたものでもよく、この点滅灯19に替えて反射板や標識等を標示部本体５に取付けてもよいものとする。
【００２７】
本考案の実施例１に係る標示具の使用方法及び作用について述べると、車道Ｓと歩道Ｈの境界部分に配置されその断面形状を略台形とする境界ブロック２に対し、標示具１の取付基部３を上方から嵌合させる。標示具１の取付基部３と境界ブロック２が嵌合した状態では、取付基部３の上面板６の底面と境界ブロック２の上面20とが当接し、取付基部３の第１及び第２の側板７,８における内向面９,10と境界ブロック２の側面21,22の間には空隙Ｋが形成されている。
【００２８】
そして、取付基部３の第２の側板８に設けられた雌螺子部17を回動して、第２の弾性部材12を軸部材14に沿って境界ブロック２の側面22の方向に摺動させ、第２の弾性部材12を境界ブロック２の側面22に対し押圧させるが、第２の弾性部材12により境界ブロック２の一方の側面22が押圧されると、同時に境界ブロック２の他方の側面21と取付基部３の第１の側板７における第１の弾性部材11とが圧接した状態となる。
【００２９】
このように、標示具１は、取付基部３の上面板６を境界ブロック２の上面20に当接させ、同時に第１及び第２の弾性部材11,12により境界ブロック２の側面21,22を強固に挟持して、境界ブロック２に取付けられ、この上面部６、第１及び第２の弾性部材11,12による３点の接触からなる標示具１の境界ブロック２への取付構造により、取付基部３の上面に接続された標示部本体５が中空柱状なポールであり、その重心位置が高いものであっても、標示具１と境界ブロック２との接続が不安定になることはない。
【００３０】
そして、境界ブロック２に取付けられた標示具１の標示部４を視認した車の運転手又は歩行者は注意を促されることとなる。
【００３１】
また、標示具１の取付基部３の上面板６、第１及び第２の側板７,８は、薄板状に形成されたことで、取付時に第１及び第２の側板７,８の下側先端を互いに外側に開いて、一時的に境界ブロック２の幅に対し第１及び第２の側板７,８の間隔を大きくすることが可能となる等の柔軟性を備える。
【００３２】
さらに、境界ブロック２の上部に標示具１が配置されたことにより、境界ブロック２の周辺における車道Ｓ又は歩道Ｈの空間を標示具１が侵すことはない。
【００３３】
また、標示部本体５が高さＴに形成されたポールであることで、遠方からの視認性を備えるとともに、その表面に様々な視認効果を備えた標示部品や標識を取り付けることが出来る。ここでは、標示具本体５の上部に点滅灯19が備えられ、ほぼ高さＴの位置で点滅灯19が点滅することで、より視覚的に周囲の車又は通行人に注意を促すことが可能となる。
【００３４】
さらに、中空なポールからなる標示具本体５により、標示具１全体の重量の増加が抑えられ、取付作業時の負担が軽減される。
【００３５】
以上のように、前記実施例では請求項１に対応して、縁石等の境界ブロック２に対し上方から嵌合可能な取付基部３と、該取付基部３の上部に設けられた標示部４とを備えた標示具１であって、前記取付基部３には、前記境界ブロック２の上面20に対応した上面部６と、前記境界ブロック２の両側面21,22に対応した一対の側面部７,８とを備えるとともに、前記側面部７,８と前記境界ブロックの両側面21,22との間にそれぞれ弾性部材11,12を配置し、該弾性部材11,12の少なくとも一方を、前記側面部８と前記境界ブロック２の前記側面22との間で水平方向に移動可能にする水平方向移動手段18を備えたことにより、標示具１が取付基部３を介して境界ブロック２に上方から取り付けられることで、車道Ｓ又は歩道Ｈに対し設置スペースを必要とせず、縁石等の境界ブロック２に確実に取付けすることができる。また、前記側面部７,８と前記境界ブロック２の側面21,22との間にそれぞれ弾性部材11,12を配置したことで、標示具１を境界ブロック２に確実に取付けできるとともに、標示具１により境界ブロック２が傷付くことが防止される。さらに、弾性部材11,12を水平方向に移動させる水平方向移動手段18を備えたことで、異なる幅寸法に形成された異なる種類の境界ブロック２に対し、標示具１を的確に取付けることが可能となる。
【００３６】
また、前記実施例では請求項２に対応して、前記水平方向移動手段18は、前記弾性部材12に基端が接続され水平方向に平行に配置された軸部材14と、前記軸部材14を水平方向にスライド自在にするスライド固定操作部17とを備えたことにより、標示具１を境界ブロック２に対し簡単な機構で確実に取付けることができる。
【００３７】
さらに、前記実施例では請求項３に対応して、前記スライド固定操作部17は、前記側面部８に設けられた雌螺子部とすることにより、周知の材料を用いることで、製造のコストを削減することができる。
【００３８】
また、前記実施例では請求項４に対応して、前記標示部４は標示部本体５を備え、この標示部本体５に中空柱状のポールを用いたことで、標示具１の視認性を向上させるとともに、ポールが中空柱状であることにより、標示具全体１の軽量化を図ることができる。
【００３９】
さらに、前記実施例では請求項５に対応して、前記標示部本体５に点滅灯19を設けたことにより、標示具１の視認性をさらに向上させることができる。
【実施例２】
【００４０】
図５乃至図６は本発明の実施例２を示し、上記実施例１と同一部分に同一符号を付し、その詳細な説明を省略して詳述すると、境界ブロック２の上面20において、その長手方向Ｘに対し標示具１,１を複数並設している。この並設された標示具１,１は、標示部本体５,５同士を、標示部本体５を構成するのと同様なポールからなり、標示部本体５と直交し水平方向に平行に２本並設された固定部材23,24により連結される。この固定部材23,24は、一つの境界ブロック２に対し並設された標示具１,１のみを連結するものでもよいし、また、図６に図示されるように別の境界ブロック（図示せず）に設けられた標示具（図示せず）までも一体に連結するものでもよいものとする。
【００４１】
また、上側に配置された側の固定部材23の標示具１,１間には、文字、記号又は図形等の情報25が表記された標示体26が設けられたものである。
【００４２】
本実施例における標示具１の作用としては、複数の標示具１,１を並設し、固定部材23,24により一体に固定したことで、標示具１,１は柵状の形態を有することになり、標示具１,１を柵として使用した場合、車又は歩行者に対して注意・勧告する事柄については、標示体26に表すことが可能である。
【００４３】
このように本実施例では、請求項１〜５に対応して、上記実施例１と同様な作用・効果を奏する。
【００４４】
また、このように本実施例では、請求項６に対応して、前記境界ブロック２における上面20の長手方向Ｘに対し並設された前記標示具１,１を連結する固定手段23,24を設けたことにより、複数の標示具１,１を柵として使用することが可能となり、標示具１の視認性をさらに向上させることができるとともに、この複数の標示具１,１を一体に連結している固定手段23,24も標示部４の一部として使用することができ、様々な標示方法を用いて車又は歩行者に注意を促すことが可能となる。
【図面の簡単な説明】
【００４５】
【図１】本考案の実施例１における標示具の正面図である。
【図２】本考案の実施例１における標示具の側面図である。
【図３】本考案の実施例１における標示具の他の実施形態を表す正面図である。
【図４】本考案の実施例１における標示具の他の実施形態を表す側面図である。
【図５】本考案の実施例２における標示具の正面図である。
【図６】本考案の実施例２における標示具の側面図である。
【符号の説明】
【００４６】
１  標示具
２  境界ブロック
３  取付基部
４  標示部
５  標示具本体
６  上面板（上面部）
７  第１の側板（側面部）
８  第２の側板（側面部）
11  第１の弾性部材（弾性部材）
12  第２の弾性部材（弾性部材）
14  軸部材
17  雌螺子部（スライド固定操作部）
18  水平方向移動手段
20  上面（境界ブロック）
21,22  側面（境界ブロック）
23,24  固定部材
Ｘ  境界ブロックの上面における長手方向
【図１】
0003125385.tif 000003
【図２】
0003125385.tif 000004
【図３】
0003125385.tif 000005
【図４】
0003125385.tif 000006
【図５】
0003125385.tif 000007
【図６】
0003125385.tif 000008